(57)【要約】【課題】  電子機器本体の姿勢に関わらず、常に、最大限のステレオ効果を得る位置にマイクロホンを移動させて録音することができる電子機器を得る。【解決手段】  左側の音を集音する左側マイクロホンと、右側の音を集音する右側マイクロホンと、上記左側マイクロホンの集音部と上記右側マイクロホンの集音部の位置を調整する位置調整部と、を備え、上記左側マイクロホンと上記右側マイクロホンは、左右に並んで設けられ、上記位置調整部は、上記左側マイクロホンの集音部と上記右側マイクロホンの集音部とを結ぶ線を水平に保つ、ことを特徴とするステレオ録音機能を備えた電子機器による。【選択図】図１
2014068099.tif 000002
【特許請求の範囲】
【請求項１】
ステレオ録音機能を備えた電子機器であって、
左側の音を集音する左側マイクロホンと、
右側の音を集音する右側マイクロホンと、
上記左側マイクロホンの集音部と上記右側マイクロホンの集音部の位置を調整する位置調整部と、
を備え、
上記左側マイクロホンと上記右側マイクロホンは、左右に並んで設けられ、
上記位置調整部は、上記左側マイクロホンの集音部と上記右側マイクロホンの集音部とを結ぶ線を、水平に保つことを特徴とする電子機器。
【請求項２】
絶対基準面に対する水平を検知するセンサーを備え、
上記位置調整部は、上記センサーの検知結果に基づいて、上記左側マイクロホンの集音部と上記右側マイクロホンの集音部とを結ぶ線を、水平に保つ、
請求項１記載の電子機器。
【請求項３】
上記位置調整部は、録音開始時には、上記左側マイクロホンの集音部と上記右側マイクロホンの集音部とを結ぶ線を絶対基準面に対して水平に保つ、
請求項２記載の電子機器。
【請求項４】
被写体像を電気信号に変換する撮像素子と、
上記被写体像を上記撮像素子の受光部に結像させる撮像レンズと、
を備え、
上記センサーは、上記撮像レンズの光軸を回転軸とし、絶対基準面に対する上記左側マイクロホンの集音部と上記右側マイクロホンの集音部とを結ぶ線の回転角を検知する、
請求項２または３記載の電子機器。
【請求項５】
上記位置調整部は、上記左側マイクロホンと上記右側マイクロホンとを回転駆動させる駆動装置を備える、
請求項１乃至４のいずれかに記載の電子機器。
【請求項６】
上記左側マイクロホンと上記右側マイクロホンは、上記撮影レンズの外装部材に設置され、
上記駆動装置によって、上記外装部材が回転移動する、
請求項５記載の電子機器。
【請求項７】
上記左側マイクロホンと上記右側マイクロホンのそれぞれは２つの接片を有し、
上記外装部材の内部には、上記切片が電気的に接続する回路パターンが形成されていて、
上記回路パターンは、上記同心円状に形成されている、
請求項６記載の電子機器。
【請求項８】
上記回路パターンは、上記左側マイクロホンと上記右側マイクロホンの接地線と、上記左側マイクロホンと上記右側マイクロホンに対応する信号線とからなる、
請求項７記載の電子機器。
【請求項９】
上記外装部材は、上記左側マイクロホンと上記右側マイクロホンの回転移動を規制するクリック機構を有している、
請求項６乃至８のいずれかに記載の電子機器。
【発明の詳細な説明】
【技術分野】
【０００１】
本発明は、ステレオ録音機能を備える電子機器に関するものであって、詳しくは、電子機器本体の姿勢に関わらず、常に、最大限のステレオ効果を得る録音が可能な電子機器に関するものである。
【背景技術】
【０００２】
ステレオ録音機能を備える電子機器は、少なくとも電子機器から向かって左側の音を集音する左側マイクロホンと、電子機器から向かって右側の音を集音する右側マイクロホンと、を備えている。このような電子機器の例として、画像の撮影とともにステレオ音声の録音が可能なデジタルカメラが知られている（例えば特許文献１を参照）。
【０００３】
特許文献１のデジタルカメラは、少なくとも３つのマイクロホンを備えていて、デジタルカメラ本体を回転させた状態で録音するときにもステレオ効果を得られるように、複数のマイクロホンからの音声入力を切り替える。しかし、特許文献１のデジタルカメラは、マイクロホンを３つ備えるものであるから、デジタルカメラ本体を大型にせざるを得ない。さらに、３つのマイクロホンから入力される音声信号の切り替え処理や合成処理などの複雑な信号処理を必要とする。
【０００４】
また、ステレオ録音機能を備える電子機器の別の例として、デジタルカメラ本体の回転角に応じた音声信号処理により、ステレオ感を強調する録音が可能なデジタルカメラが知られている（例えば特許文献２を参照）。しかし，特許文献２のデジタルカメラは、２つのマイクロホンからの音声信号に対して所定の信号処理を行うものであるから、デジタルカメラ本体の回転角度が９０度や２７０度のときは、ステレオ感は強調されない。
【発明の概要】
【発明が解決しようとする課題】
【０００５】
本発明は、上記課題に鑑みてなされたものであって、電子機器本体の姿勢に関わらず、常に、最大限のステレオ効果を得る録音が可能な電子機器を提供することを目的とする。
【課題を解決するための手段】
【０００６】
本発明は、ステレオ録音機能を備えた電子機器であって、左側の音を集音する左側マイクロホンと、右側の音を集音する右側マイクロホンと、上記左側マイクロホンの集音部と上記右側マイクロホンの集音部の位置を調整する位置調整部と、を備え、上記左側マイクロホンと上記右側マイクロホンは、左右に並んで設けられ、上記位置調整部は、上記左側マイクロホンの集音部と上記右側マイクロホンの集音部とを結ぶ線を、水平に保つことを最も主要な特徴とする。
【発明の効果】
【０００７】
本発明によれば、電子機器本体の姿勢に関わらず、常に、最大限のステレオ効果を得る録音ができる。
【図面の簡単な説明】
【０００８】
【図１】本発明に係る電子機器の実施の形態を示す正面図である。
【図２】上記電子機器が備えるマイクロホンの設置態様の例を示す一部断面図である。
【図３】上記電子機器の構成を示す機能ブロック図である。
【図４】上記電子機器が備える加速度センサの出力信号イメージを示す図である。
【図５】上記電子機器が実行する回転角検出処理の内容を示す概略図である。
【図６】上記電子機器を縦姿勢にした状態を示す正面図である。
【図７】上記電子機器が備えるマイクロホンの回転制御の例を示すフローチャートである。
【図８】上記電子機器が備えるマイクロホンの例を示す拡大図である。
【図９】上記電子機器が備える回路パターンの例を示す図である。
【図１０】上記電子機器が備える回路パターンの別の例を示す図である。
【図１１】上記電子機器が備える回路パターンのさらに例を示す図である。
【図１２】上記マイクロホンの設置態様の別の例を示す一部断面図である。
【図１３】上記マイクロホンの設置態様のさらに別の例を示す一部断面図である。
【発明を実施するための形態】
【０００９】
以下、本発明に係る電子機器の実施の形態について図面を参照しながら説明する。本実施の形態においては、ステレオ録音機能を備える撮像装置を電子機器の例とする。図１は、本発明に係る電子機器としての撮像装置１００の正面図である。撮像装置１００はいわゆるデジタルカメラであって、正面中央部分に撮像レンズ２が配置されている。撮像レンズ２の外周部分には、ステレオ録音機能を実現するためのマイクロホン１が配置されている。マイクロホン１は、右側マイクロホン１１と左側マイクロホン１２によって構成される。右側マイクロホン１１は、撮像レンズ２の光軸Ｌ（不図示）の右側（図面上は左側）に配置されている。左側マイクロホン１２は、撮像レンズ２の光軸Ｌ（不図示）の左側（図面上は右側）に配置されている。
【００１０】
右側マイクロホン１１と左側マイクロホン１２はそれぞれ、撮像レンズ２の前面部に装着される外装リング２１の内部に格納される。外装リング２１は、右側マイクロホン１１と左側マイクロホン１２が格納される位置に対応する前面に、２つのマイク孔２１１が形成されている。このマイク孔２１１を通過した音声が右側マイクロホン１１と左側マイクロホン１２によって集音される。
【００１１】
右側マイクロホン１１によって集音される音は、撮像装置１００から向かって右側の音として集音されて電気信号に変換される。左側マイクロホン１２によって集音される音は、撮像装置１００から向かって左側の音として集音されて電気信号に変換される。このように、撮像装置１００は、マイクロホン１によって集音された音をステレオ録音する。
【００１２】
次に、マイクロホン１と外装リング２１について図２を用いて説明する。図２は、撮像レンズ２部分の一部断面図である。外装リング２１はリング状の部材である。外装リング２１の外径は、撮像レンズ２の鏡胴４の外径と略同一である。外装リング２１の内径部分には、右側マイクロホン１１と左側マイクロホン１２が、それぞれ配置される空間が形成されている。右側マイクロホン１１と左側マイクロホン１２は、光軸Ｌを挟んで１８０度反対側に配置されている。
【００１３】
外装リング２１は、鏡胴４の先端に取り付けられていて、光軸Ｌを回転中心とする、回転移動が可能である。すなわち、外装リングは光軸Ｌを回転軸として回転する。外装リング２１の回転移動によって、右側マイクロホン１１と左側マイクロホン１２も、光軸Ｌを中心として、それぞれ回転移動が可能である。外装リング２１には回転駆動用のモータ（不図示）が接続されている。後述する位置調整部が回転駆動用モータを制御し、マイクロホン１は回転移動するように構成されている。
【００１４】
右側マイクロホン１１と左側マイクロホン１２は、それぞれ、出力端子である接片１３を備えている。この接片１３は、プラス側の出力端子とマイナス側の出力端子である。この接片１３を介して、マイクロホン１から音声信号が出力される。接片１３は、回路基板３に形成された回路パターン（不図示）に接触して、電気的に導通する。回路基板３は、外装部材２１の内部に配置されている。右側マイクロホン１１と左側マイクロホン１２の接片１３が回路基板３に接する面には、回路パターン（不図示）が形成されている。回路基板３の回路パターン（不図示）は、後述するプロセッサ１０４が備える音声ブロック１０４−１１（図３を参照）と電気的に導通する。その結果、右側マイクロホン１１で集音された右側の音に基づく音声信号と、左側マイクロホン１２で集音された左側の音に基づく音声信号は、後述するプロセッサ１０４によって録音処理がなされる。
【００１５】
次に、撮像装置１００の機能構成について説明する。図３は、撮像装置１００の機能ブロック図である。図３において、ＣＣＤ１０１は、光学画像を光電変換するための固体撮像素子である。Ｆ／Ｅ−ＩＣ１０２は、画像ノイズ除去用相関二重サンプリングを行うＣＤＳ１０２−１、利得調整を行うＡＧＣ１０２−２、デジタル信号変換を行うＡ／Ｄ１０２−３、ＣＣＤ１信号処理ブロック１０４−１から供給される垂直同期信号（ＶＤ信号）と水平同期信号（ＨＤ信号）に基づいて駆動タイミング信号を発生させるＴＧ１０２−４、を有してなる。ＣＣＤ１０１およびＦ／Ｅ−ＩＣ１０２は、ＴＧ１０２−４が発生させる駆動タイミング信号に基づいて動作する。
【００１６】
鏡胴４は、被写体の光学画像を取り込むズームレンズ４−１ａとズーム駆動モータ４−１ｂからなるズーム光学系４−１、フォーカスレンズ４−２ａとフォーカス駆動モータ４−２ｂからなるフォーカス光学系４−２、絞り４−３ａと絞りモータ４−３ｂからなる絞りユニット４−３、メカシャッタ４−４ａとメカシャッタモータ４−４ｂからなるメカシャッタユニット４−４、および各モータを駆動するモータドライバ４−５、を有してなる。
【００１７】
また、モータドライバ４−５は、マイク用モータ５の駆動も制御する。マイク用モータ５は、すでに説明した外装リング２１を回転駆動させるモータである。マイク用モータ５の駆動制御は、ＣＰＵブロック１０４−３からの制御信号に基づいて、モータドライバ４−５により実行される
【００１８】
ＲＯＭ１１３には、ＣＰＵブロック１０４−３にて解読可能なコードで記述された、制御プログラムと、制御プログラムが用いる制御パラメータが格納されている。撮像装置１００の電源が投入されると、制御プログラムはメインメモリ（不図示）にロードされる。ＣＰＵブロック１０４−３は、ロードされた制御プログラムに従って撮像装置１００の各部の動作を制御するとともに、制御に必要なデータ等を、一時的に、ＲＡＭ１１４、および後述するプロセッサ１０４内にあるＬｏｃａｌ  ＳＲＡＭ１０４−４に保存する。ＲＯＭ１１３に書き換え可能なフラッシュＲＯＭを使用することで、制御プログラムや制御するためのパラメータを変更することが可能となり、機能のバージョンアップ（更新）が容易に行える。
【００１９】
プロセッサ１０４は、ＣＣＤ１０１から出力された画像信号から、Ｆ／Ｅ―ＩＣ１０２により実行されるデジタルデータ処理によって生成される画像データに対し、ホワイトバランス設定処理やガンマ設定処理などの画像信号処理を行う。
【００２０】
また、プロセッサ１０４は、ＣＣＤ２信号処理ブロック１０４−２と、ＣＰＵブロック１０４−３と、ＬｏｃａｌＳＲＡＭ１０４−４と、を有してなる。
【００２１】
ＣＣＤ２信号処理ブロック１０４−２は、フィルタリング処理により輝度データと色差データへの変換処理を行う。ＣＰＵブロック１０４−３は、撮像装置１００の各部の動作を制御する。Ｌｏｃａｌ  ＳＲＡＭ１０４−４は、撮像装置１００の動作制御に必要なデータ等を一時的に保存する。
【００２２】
また、プロセッサ１０４は、ＵＳＢブロック１０４−５と、シリアルブロック１０４−６と、ＪＰＥＧ−ＣＯＤＥＣブロック１０４−７と、ＲＥＳＩＺＥブロック１０４−８と、ＴＶ信号表示ブロック１０４−９と、メモリカードブロック１０４−１０と、音声ブロック１０４−１１と、を有してなる。
【００２３】
ＵＳＢブロック１０４−５は、パソコンなどの外部機器とＵＳＢ通信を行う。シリアルブロック１０４−６は、パソコンなどの外部機器とシリアル通信を行う。ＪＰＥＧ−ＣＯＤＥＣブロック１０４−７は、ＪＰＥＧ圧縮・伸張を行う。ＲＥＳＩＺＥブロック１０４−８は、画像データのサイズを補間処理により拡大／縮小する処理を行う。ＴＶ信号表示ブロック１０４−９は、画像データをＬＣＤモニタ６やＴＶなどの外部表示機器に表示するためのビデオ信号に変換する処理を行う。メモリカードブロック１０４−１０は、撮影された画像データを記録するメモリカードの制御を行う。音声ブロック１０４−１１は、前述したマイクロホン１から入力された音声信号をＡＤ変換し音声データとして記録し、また、記録された音声データをＤＡ変換してスピーカ１１６から出力させる。
【００２４】
ＳＤＲＡＭ１０３は、プロセッサ１０４において画像処理が実行されるとき、画像データを一時的に保存するメモリである。保存される画像データは、ＲＡＷ−ＲＧＢ画像データ」や「ＹＵＶ画像データ」、「ＪＰＥＧ画像データ」などである。
【００２５】
ＲＡＷ−ＲＧＢ画像データは、ＣＣＤ１信号処理ブロック１０４−１におけるホワイトバランス設定処理やガンマ設定処理によって生成される画像データである。ＹＵＶ画像データは、ＣＣＤ２信号処理ブロック１０４−２における輝度データ変換処理と色差データ変換処理によって生成される画像データである。ＪＰＥＧ画像データは、ＪＰＥＧ−ＣＯＤＥＣブロック１０４−７におけるＪＰＥＧ圧縮処理により生成される画像データである。
【００２６】
内蔵メモリ１０７は、撮影された画像データが記憶されるメモリである。
【００２７】
ＬＣＤドライバ１０８は、ＬＣＤモニタ６を駆動させるドライブ回路であり、ＴＶ信号表示ブロック１０４−９から出力されたビデオ信号をＬＣＤモニタ６に表示するための信号に変換する機能も有している。ビデオＡＭＰ１０９は、ＴＶ信号表示ブロック１０４−９から出力されたビデオ信号を、７５Ωインピーダンス変換するためのアンプである。ビデオジャック１１０は、ＴＶなどの外部表示機器と接続するためのジャックである。
【００２８】
操作ＫｅｙユニットＳＷ１〜１５は、ユーザーが操作するＫｅｙ回路であり、ＳＵＢ−ＣＰＵ１０５は、操作ＫｅｙユニットＳＷ１〜１５からの出力信号を、ユーザー操作情報としてＣＰＵブロック１０４−３に出力する。
【００２９】
また、撮像装置１００は、加速度センサ１１１を有している。加速度センサ１１１は、撮像装置１００本体の回転角をプロセッサ１０４に通知するセンサである。加速度センサ１１１は所定の基板上に実装されていて、撮像装置１００の本体の姿勢を３軸（ｘ、ｙ、ｚ）のデータとして出力する。出力された３軸のデータは、プロセッサ１０４のＩ２Ｃブロック１０４−１１を介して、プロセッサ１０４に入力される。プロセッサ１０４は３軸データに基づいて、撮像装置１００の傾き角度や傾き方向を算出する。
【００３０】
次に、加速度センサ１１１による撮像装置１００の回転角検出処理の例について説明をする。図４は、加速度センサ１１１から出力される信号のイメージを示している。図４において、Ｘ軸・Ｙ軸・Ｚ軸それぞれの出力信号をＧｘ、Ｇｙ、Ｇｚで表している。軸の交点を基準点とし、各軸方向の出力の合成が加速度（Ｘｇ、Ｙｇ、Ｚｇ）として出力される。
【００３１】
図５は、回転角検出処理の内容を例示する概略図である。撮像装置１００の回転角を検出するには、Ｚ軸とＹ軸の加速度を用いて、撮像装置１００のＸ軸と平行の軸を中心軸とする左右方向の傾き角度（以下「ロール角度」という。）を算出すればよい。なお、Ｘ軸は撮像レンズ２の光軸Ｌと平行の軸である。Ｙ軸は、撮像装置１００が横姿勢のときの水平方向の軸であって、Ｘ軸と直交する軸である。Ｚ軸は撮像装置１００が横姿勢のときの垂直方向の軸であって、Ｘ軸とＹ軸に直交する軸である。撮像装置１００が横姿勢であって、撮像装置１００が水平に保たれているときのＸ−Ｙ平面を「絶対基準面」とする。
【００３２】
図５は、撮像装置１００が絶対基準面に対して回転角を有している状態を例示している。図５に示すように、撮像装置１００の垂直方向の軸（Ｚ軸）と水平方向の軸（Ｙ軸）に比べて、加速度センサ１１１から出力される加速度（Ｘｇ、Ｙｇ、Ｚｇ）は、角度θだけ傾いている。この角度θは、Ｘ軸−Ｙ軸平面とＧｘ−Ｇｙ平面とのズレ角に等しい角度である。すなわち、角度θは絶対基準面に対する撮像装置１００の回転角を表している。重力加速度Ｇは常に鉛直方向に作用しているので、加速度センサ１１１のＺ軸出力（Ｚｇ）と重力加速度Ｇを用いることで角度θを算出することができる。角度θと重力加速度ＧおよびＺ軸出力の間には、Ｓｉｎθ＝Ｚｇ／Ｇの関係が成り立つ。
【００３３】
重力がゼロのとき、直交するＹ軸とＺ軸の出力データをそれぞれＹ０、Ｚ０とすると、加速度センサ１１１の水平方向に対する角度（ロール角度）θは、次の式１で算出することができる。
【００３４】
θ［ｄｅｇ］＝１８０／π×ｔａｎ-1｛（Ｙ−Ｙ）／（Ｘ−Ｘ０）｝・・式１
【００３５】
撮像装置１００の姿勢が、図１に示した「横姿勢」のときは、Ｘ−Ｙ平面とＧｘ−Ｇｙ平面は一致した状態である。この姿勢を基準姿勢（ホームポジション）という。
【００３６】
図６は、撮像装置１００を「縦姿勢」に変化させた状態を示す、撮像装置１００の正面図である。図６に示すように撮像装置１００は、「縦姿勢」になっても、右側マイクロホン１１の集音部（不図示）と左側マイクロホン１２の集音部（不図示）とを結ぶ線が、絶対基準面（Ｘ−Ｙ平面）に対して平行を保っている。
【００３７】
撮像装置１００が光軸Ｌを回転中心として回転すると、その角度θを打ち消す方向に外装リング２１が回転移動する。この回転移動によって、右側マイクロホン１１の集音部と左側マイクロホン１２の集音部を結ぶ線が、絶対基準面に対して水平を保たれる。外装リング２１の回転方向と回転量は、加速度センサ１１１の出力値から算出された角度θに基づいて、プロセッサ１０４が算出する。プロセッサ１０４は、算出された回転方向と回転量に係る制御信号を、ＣＰＵブロック１０４−３からモータドライバ４−５に通知する。モータドライバ４−５は、通知された制御信号に基づいてマイク用モータ５を回転させて、外装リング２１を回転移動させる。
【００３８】
次に、撮像装置１００におけるマイクロホン１の回転制御方法について説明する。図７は、マイクロホン１の回転制御方法の例を示すフローチャートである。図７において各処理ステップは、Ｓ１１、Ｓ１２・・・のように表す。撮像装置１００の動作電源が投入されると、まず、マイクロホン１をホームポジションに移動させる処理が実行される（Ｓ１１）。
【００３９】
次いで、レリーズスイッチ（不図示）が押下されたか否かの検知処理が実行される（Ｓ１２）。レリーズスイッチが押下されるまで、処理はループする（Ｓ１２のＮＯ）。レリーズスイッチが押下されたとき（Ｓ１２のＹＥＳ）、加速度センサ１１１の出力値を確認する処理が実行される（Ｓ１３）。
【００４０】
次いで、加速度センサ１１１の出力値が、ホームポジションのときの出力値と異なるか否かの判定処理が実行される（Ｓ１４）。加速度センサ１１１の出力値が、ホームポジションの出力値と異なる場合（Ｓ１４のＹＥＳ）、加速度センサ１１１の出力値に基づいて算出された角度θに基づいて、モータドライバ４−５はマイク用モータ５の動作を制御す。このマイク用モータ５の動作によって、右側マイクロホン１１と左側マイクロホン１２の集音部を結ぶ線が絶対基準面に対して平行になるように、外装リング２１の回転移動処理が実行される（Ｓ１５）。
【００４１】
次いで、動画撮影処理が開始される（Ｓ１６）。加速度センサ１１１の出力値が、ホームポジションの出力値と異ならないとき（Ｓ１４のＮＯ）、外装リング２１の回転移動処理（Ｓ１５）は実行されず、動画撮影処理（Ｓ１６）が開始される。
【００４２】
次いで、レリーズスイッチが押下されたか否かの検知処理が実行される（Ｓ１７）。レリーズスイッチが押下されたとき（Ｓ１７のＹＥＳ）、動画撮影終了処理が実行される（Ｓ２０）。動画撮影終了処理（Ｓ２０）によって、それまで撮影されていた動画とともに音声が録音される。次いで、マイクロホン１をホームポジションに移動させて（Ｓ２１）、処理は終了する。
【００４３】
レリーズスイッチの押下が検知されない場合（Ｓ１７のＮＯ）、加速度センサ１１１の出力値から算出される角度θと、外装リング２１の回転角度とを比較する処理が実行される（Ｓ１８）。この処理で用いられる外装リング２１の回転角度は、回転移動処理（Ｓ１５）によってマイクロホン１がホームポジションから移動していれば、その移動後の回転角度である。また、マイクロホン１がホームポジションから移動していなければ、０度である。外装リング２１の回転角度の検出は、回転量を検知するセンサを外装リング２１に配置することで行う。外装リング２１の回転量を検知するセンサには、例えば、フォトリフレクタを用いればよい。
【００４４】
なお、外装リング２１の回転量を検知するセンサにより、光軸Ｌを回転軸とし、絶対基準面に対する右側マイクロホン１１と左側マイクロホン１２の集音部を結ぶ線の回転角を検知してもよい。
【００４５】
角度θと外装リング２１の回転角度が異なるとき（Ｓ１８のＹＥＳ）、加速度センサ１１１の出力値に基づいて算出された角度θに基づいて、モータドライバ４−５はマイク用モータ５の動作を制御する。このマイク用モータ５によって、右側マイクロホン１１と左側マイクロホン１２の集音部を結ぶ線が、絶対基準面に対して水平になるように、外装リング２１が回転移動する（Ｓ１９）。
【００４６】
角度θと外装リング２１の回転角度とが異ならないとき（Ｓ１８のＮＯ）、レリーズ押下検知処理（Ｓ１７）に戻る。
【００４７】
以上のように、撮像装置１００は、撮像装置１００本体を絶対基準面に対して傾けたとき、その傾きを加速度センサ１１１が検知する。その後、加速度センサ１１１の出力値に基づいて算出された角度θに基づいて、外装リング２１はマイク用モータ５により回転移動する。外装リング２１が回転移動する方向は、右側の音を集音する右側マイクロホン１１の集音部と、左側の音を集音する左側マイクロホン１２の集音部を結ぶ線が、絶対基準面に対して水平になる方向である。
【００４８】
このように、撮像装置１００が横姿勢（図１参照）から縦姿勢（図６）に変更されても、右側の音を集音する右側マイクロホン１１の集音部と左側の音を集音する左側マイクロホン１２の集音部は、絶対基準面に対して水平の反対側に配置される。すなわち、撮像装置１００は、ステレオ効果を最大限に得る録音状態を維持する。
【００４９】
また、撮像装置１００は、回転移動処理（Ｓ１５）を撮像開始準備の完了前までに実行してもよい。撮影開始準備が完了し、撮影が開始されると同時に録音も開始される。この場合、撮像装置１００の電源が投入され、撮像装置１００の動作が開始した後、レリーズ検知処理（Ｓ１２）において、レリーズ検知がされるまで（Ｓ１２のＹＥＳになるまで）に、上記処理Ｓ１３からＳ１５を実行すればよい。レリーズ検知がされるまでにマイクロホン１の回転移動処理（Ｓ１５）を実行することで、録音開始時には、右側の音を集音する右側マイクロホン１１の集音部と左側の音を集音する左側マイクロホン１２の集音部は、絶対基準面に対して水平の反対側に配置されて、ステレオ効果を最大限に得る録音状態が維持される。
【００５０】
次に、マイクロホン１について説明する。図８はマイクロホン１の拡大図である。図８に示すように、マイクロホン１の接片１３は、プラス側端子とマイナス側端子であって、回路基板（不図示）に形成される回路パターン３１に接触している。回路パターン３１は、各接片１３がそれぞれ接触するように、形成されている。
【００５１】
次に、回路パターン３１について説明する。図９は、撮像装置１００が備える回路パターン３１の例を示す図である。図９に示すように、回路パターン３１は、光軸Ｌとは異なる中心を持つ同心円状に形成されている。図９において、回路パターン３１は、右側マイクロホン１１のプラス端子である接片１３が接触するパターン３１１と、右側マイクロホン１１のマイナス端子である接片１３が接触するパターン３１２と、左側マイクロホン１２のプラス端子である接片１３が接触するパターン３１３と、左側マイクロホン１２のマイナス端子である接片１３が接触するパターン３１４と、を有してなる。パターン３１１が最も外周側に形成され、パターン３１４が最も内周側に形成されているが、本発明における回路パターン３１はこれに限られることはない。例えば、パターン３１４を最も外周側に形成し、パターン３１１を最も内周側に形成してもよい。
【００５２】
このように、回路パターン３１をマイクロホン１の回動に合わせた形状にして形成することで、右側の音を集音する右側マイクロホン１１の集音部と左側の音を集音する左側マイクロホン１２の集音部は、撮像装置１００本体が回転しても、回路パターン３１と接触した状態を維持しつつ、絶対基準面に対して水平の反対側に配置されて、ステレオ効果を最大限に得る録音状態が維持される。
【００５３】
次に、撮像装置１００が備える回路パターン３１の別の例について説明する。図１０は、撮像装置１００が備える回路パターン３１の別の例を示す図である。図１０に示すように、右側マイクロホン１１のマイナス端子である接片１３と左側マイクロホン１２のマイナス端子である接片１３が接触するパターン３１５を設けてもよい。この場合、パターン３１５は接地線として機能する。パターン３１５を真ん中に挟んで、外周側に右側マイクロホン１１のプラス端子である接片１３が接触するパターン３１１ａを形成し、内周側に左側マイクロホン１２のプラス端子である接片１３が接触するパターン３１３ａを形成すればよい。なお、パターン３１１ａとパターン３１３ａの形成位置は、逆であってもよい。
【００５４】
以上のように、回路パターン３１をパターン３１１ａ、パターン３１３ａ、および、共通する接地線であるパターン３１５の、３つのパターンによって形成することで、回路パターン３１を小さくすることができる。
【００５５】
次に、撮像装置１００が備える回路パターン３１のさらに別の例について説明する。図１１は、撮像装置１００が備える回路パターン３１のさらに別の例を示す図である。図１１に示すように、回路パターン３１は、右側マイクロホン１１用の端子（３１１ｂ、３１２ｂ）と、左側マイクロホン１２用の端子（３１３ｂ、３１４ｂ）とが周方向に交互に形成されている。
【００５６】
図１１に示す回路パターン３１にすることで、撮像装置１００の小型化を図ることができる。なお、図１１に示す回路パターン３１を用いる場合は、動画撮影中に撮像装置１００の角度θが変化すると、外装リング２１が回転して、マイクロホン１と回路パターン３１との接触が外れてしまう場合がある。そこで、動画撮影中は、外装リング２１が回転しないように、ロック機構等を設けるとよい。
【００５７】
また、図１１に示す回路パターン３１を用いる場合は、外装リング２１の回転角度によって、マイクロホン１の接片１３が回路パターン３１と接触しない可能性がある。そこで、図１２に示すように、外装リング２１と撮像装置１００の筐体の間にクリックボール２１２を配置し、外装リング２１側にはクリック溝を形成して、外装リング２１が段階的に回転移動するように、外装リング２１の回転動作を規制してもよい。ここで、図１２は、マイクロホン１の設置態様の別の例を示す一部断面図である。
【００５８】
このように、断続的に形成された回路パターン３１を用いるときは、外装リング２１の回転動作が段階的になるように、クリック機構を設けるとよい。これによって、マイクロホン１の接片１３が確実に回路パターン３１に接触する。
【００５９】
次に、マイクロホン１について、さらに説明する。図１３は、マイクロホン１の配置部分の一部断面図である。図１３に示すように、外装リング２１の内周面には保持部材２３が配置されている。この保持部材２３によって、マイクロホン１は、所定の位置に配置されて保持されて、外装リング２１が回転移動したときにマイクロホン１も回転移動する。鏡胴４の先端部外周面には弾性部材２４が取り付けられていて保持部材２３と接触している。この弾性部材２４によって、外装リング２１が回転移動したときの鏡胴４への衝撃が緩和される。
【００６０】
マイクロホン１の接片１３は回路基板３に形成された回路パターン３１（不図示）に接触している。回路基板３は、鏡胴４の先端部前面に両面テープ３２によって固定されている。
【００６１】
鏡胴４は、その外周面を外装部材２２によって覆われている。外装部材２２は、先端部分にリブ２２１が形成されている。このリブ２２１が、外装リング２１と保持部材２３によって挟持されて、外装リング２１が鏡胴４から外れることを防いでいる。また、外装部材２２のリブ２２１には突起部２２２が形成されている。この突起部２２２によって、リブ２２１と外装リング２１および保持部材２３との摩擦係数が低くなり、外装リング２１の回転移動がスムーズになる。
【００６２】
以上説明した実施形態によれば、撮像装置１００は、撮像装置１００本体の光軸Ｌを中心とした回転を検知して、その回転に応じてマイクロホン１の位置も回転移動させる。これによって、右側マイクロホン１１の集音部と左側マイクロホン１２の集音部を結ぶ線を、絶対基準面に対して水平に保つようにできる。
【００６３】
すなわち、本発明に係る電子機器によれば、電子機器本体の姿勢に関わらず、ステレオ効果を最も発揮する位置に、２つのマイクロホンを常に配置させることができる。
【符号の説明】
【００６４】
１    マイクロホン
２    撮像レンズ
１１  右側マイクロホン
１２  左側マイクロホン
２１  外装リング
３１  回路パターン
１００    撮像装置
【先行技術文献】
【特許文献】
【００６５】
【特許文献１】特開２００５−１７６０６３号公報
【特許文献２】特許第４４９９５３７号明細書
【図１】
2014068099.tif 000003
【図２】
2014068099.tif 000004
【図３】
2014068099.tif 000005
【図４】
2014068099.tif 000006
【図５】
2014068099.tif 000007
【図６】
2014068099.tif 000008
【図７】
2014068099.tif 000009
【図８】
2014068099.tif 000010
【図９】
2014068099.tif 000011
【図１０】
2014068099.tif 000012
【図１１】
2014068099.tif 000013
【図１２】
2014068099.tif 000014
【図１３】
2014068099.tif 000015